(57)【要約】【解決課題】本発明は、高速通信を行うことができる光屋外線の改良に関する発明であり、従来の光屋外線が有する折れ曲がり、作業性の問題点を解決するためになされたものである。【解決手段】本発明は、支持線と前記支持線をシースにより被覆し内包した支持線部と、第１テンションメンバにより被覆し内包したテープ形２心光ファイバ心線と第２テンションメンバをシースにより被覆し内包したケーブル部とからなり、前記支持線部と前記ケーブル部とを接続部を介して連設したことを特徴とする光屋外線の構成とした。【選択図】図１
2004004211.tif 000002
【特許請求の範囲】
【請求項１】
支持線と前記支持線をシースにより被覆し内包した支持線部と、第１テンションメンバにより被覆し内包したテープ形２心光ファイバ心線と第２テンションメンバをシースにより被覆し内包したケーブル部とからなり、前記支持線部と前記ケーブル部とを接続部を介して連設したことを特徴とする光屋外線。
【請求項２】
テープ形２心光ファイバ心線をテープ形４心光ファイバ心線としたことを特徴とする請求項１に記載の光屋外線。
【請求項３】
テープ形２心光ファイバ心線を単心光ファイバ心線としたことを特徴とする請求項１に記載の光屋外線。
【発明の詳細な説明】
【０００１】
【発明が属する技術分野】
本発明は、高速通信を行うことができる光屋外線の改良に関する発明である。
【０００２】
【従来の技術】
従来の通信用の光屋外線は、図８（特許公開平成１０−１４８７３７「架空屋外用光ケーブル」に記載されている）に示したように、第１テンションメンバ５ｂからなる支持線部５と、第２テンションメンバ６ｄ及び第３テンションメンバ６ｆにより心線６ｅを挟んで一括に被覆されたケーブル部６からなり、支持線部５及びケーブル部６はシース５ａ、６ａにより一括被覆されている。
【０００３】
ケーブル部６のシース６ａには、相対する２対の弱化溝５ｃ、５ｄ、６ｂ、６ｃが設けられており、そのうちの１対である左弱化溝５ｃと右弱化溝５ｄは支持線部５とケーブル部６を引き離し、もう１対の左弱化溝６ｂと右弱化溝６ｃは、第２テンションメンバ６ｄ及び第３テンション６ｃを引き離すことで心線６ｅを出すために設けた弱化溝である。
【０００４】
【発明が解決しようとする課題】
しかしながら、従来の特許公開平成１０−１４８７３７「架空屋外用光ケーブル」（図８）に記載されている光ケーブルでは、コネクタ等に光ファイバ心線６ｅを接続する際、第２テンションメンバ６ｄ及び第３テンションメンバ６ｆから切り離し、心線６ｅに保護する部材がない状態で使用するため耐久性に欠けるものであった。
【０００５】
また、従来の特許公開平成１０−１４８７３７「架空屋外用光ケーブル」（図８）に記載されている光ケーブルは、一本のケーブルに対して光ファイバ心線６ｅが１本しかなく、複数の光屋外線が必要な際には、その本数に応じた光屋外線を用意しなければならず、ケーブルが増え絡まるなどの問題があった。
【０００６】
そこで、本発明では、光ファイバ心線をコネクタ等に接続する際にも、光ファイバ心線に保持する部材があり耐久性が強く、一本のケーブルに対して複数の光ファイバ心線を共有できる光屋外線を提供することを目的とするものである。
【０００７】
【課題を解決するための手段】
本発明である光屋外線１は、上記の課題を解決するために、内部にテープ形２心光ファイバ心線又はテープ形４心光ファイバ心線を内包する第１テンションメンバと第２テンションメンバからなるケーブル部と、支持線と支持線を被覆するシースからなる支持線部とをシースにより一括して被覆し内包し一体化し、ケーブル部と支持線部の間に左右ノッチを設け分離可能とし、また、第２テンションメンバを引っ張ることで、シースに切れ目を入れ、光ファイバ心線を取り出すことができる構成とした。
【０００８】
【実施例】
以下に、添付図面に基づき本発明である光屋外線について詳細に説明する。
【０００９】
図１は本発明である光屋外線の第１実施例の内部構造を示した斜視図、図２は、図１中に示したＡーＡ線に沿った縦断面図である。本例の光屋外線１は、図１に示すように、支持線部２とケーブル部３とからなる。
【００１０】
支持線部２は、図１及び図２に示すように、ケーブル部３を支持する機能があり、支持線部２はシース２ａと支持線２ｂからなる。支持線２ｂは、シース２ａにより内包されている。
【００１１】
ケーブル部３は、シース３ａ、第１テンションメンバ３ｂ、テープ形２心光ファイバ心線３ｃ及び第２テンションメンバ３ｇからなる。テープ形２心光ファイバ心線３ｃを第１テンションメンバ３ｂが被覆し、第１テンションメンバ３ｂと第２テンションメンバ３ｇがシース３ａにより一括被覆されている。
【００１２】
前記第１テンションメンバ３ｂ及びシース３ａの断面形状は、楕円形状である。勿論、第１テンションメンバ３ｂ及びシース３ａの断面形状は、楕円形状のみに限定されるものではなく、円形状、四角形状、多角形状であってもよい。また、第１被覆３ｅにより覆われている光ファイバ心線３ｆ、３ｆは、第２被覆３ｄ内に上下に縦列されている。
【００１３】
支持線２ｂと支持線２ｂを被覆するシース２ａからなる支持線部２は、シース２ａの下方には垂下部２ｅがあり、ケーブル部３を構成するシース３ａの上部に接続部２ｆを介して接続されている。前記接続部２ｆの左方及び右方には、左ノッチ２ｃ及び右ノッチ２ｄが形成されている。
【００１４】
支持線部２とケーブル部３を接続する接続部２ｆの左方及び右方に形成されている左ノッチ２ｃ及び右ノッチ２ｄは、接続部２とケーブル部３を分離させやすくするために存在する。
【００１５】
第１テンションメンバ３ｂに内包されているテープ形２心光ファイバ心線３ｃは、第１被覆３ｅにより覆われた２本の光ファイバ心線３ｆ、３ｆが第２被覆３ｄにより一括被覆された構造である。第１テンションメンバ３ｂの素材は、抗張力繊維であることがよい。
【００１６】
第２テンションメンバ３ｇは、テープ形２心光ファイバ心線３ｃを内包した第１テンションメンバ３ｂの下方にあり、前記第１テンションメンバ３ｂ及び第２テンションメンバ３ｇは、シース３ａにより一括被覆されている。
【００１７】
図３は、図１中に示したＢーＢ線に沿った縦断面図である。本例の発明である光屋外線１のテープ形２心光ファイバ心線３ｃは、図３に示すように、第１被覆３ｅ、３ｅによりそれぞれ被覆されている光ファイバ心線３ｆ、３ｆの２本が第２被覆３ｄにより一括被覆された構造である。
【００１８】
テープ形２心光ファイバ心線３ｃとは、第１被覆３ｅにより被覆された光ファイバ心線３ｆが、２本存在するケーブルである。第２被覆内に上下に並列してある第１被覆３ｅ、３ｅにより被覆されている２本の光ファイバ心線３ｆ、３ｆは、密着し第２被覆３ｄにより一括被覆されている。
【００１９】
図４は、本発明である光屋外線１の第１実施例の第２テンションメンバ３ｇを切り取る状態を示した斜視図である。本例の光屋外線１のテープ形２心光ファイバ心線３ｃの下方に設けられている第２テンションメンバ３ｇを、矢印Ｃの方向へ引っ張ることで、シース３ａに切れ目３ｌが生じる。
【００２０】
シース３ａに生じた切れ目３ｌにより、テープ形２心光ファイバ心線３ｃを使用に必要な長さに応じ、第２テンションメンバ３ｇを切れ目３ｌから引っ張り出し、シース３ａを剥がし第１テンションメンバ３ｂに覆われたテープ形２心光ファイバ心線３ｃを必要な長さ出すことができる。
【００２１】
第２テンションメンバ３ｇを下方に引っ張り出して被覆しているシース３ａに切れ目３ｌができても、光ファイバ心線３ｆ、３ｆは第１被覆３ｅ、第２被覆３ｄ及び第１テンションメンバ３ｂに覆われているので折れることはない。
【００２２】
図４に示すように、本例の光屋外線１を使用する際は、光ファイバ心線３ｆ、３ｆを露出させて使用するが、切断し易いとともに折れ曲がり易い光ファイバ心線３ｆは支持線部２に補強されている。
【００２３】
また、光ファイバ心線３ｆ、３ｆは、第１被覆３ｅ、第２被覆３ｄ、第１テンションメンバ３ｂ及びシース３ａの４層に被覆されているので、光ファイバ心線３ｆ、３ｆは折れ曲がることなく被接続部に接続することができる。
【００２４】
図５は、本発明である光屋外線の第２実施例の縦断面図である。本例の光屋外線１ａは、ケーブル部３を支持する支持線部２と複数の光ファイバ心線３ｊ、３ｊ、３ｊ、３ｊを内包するケーブル部３とからなる。
【００２５】
本第２実施例である光屋外線１ａが、第１実施例である光屋外線１と異なる点は、第１実施例では光ファイバ心線３ｆ、３ｆが２本であるが、本例の光屋外線１ａでは、ケーブル部３に光ファイバ心線３ｊ、３ｊ、３ｊ、３ｊが４本内包されている点である。
【００２６】
支持線部２は、本発明である光屋外線の第１実施例の光屋外線１の支持線部２と同様の構造である。即ち、支持線２ｂがシース２ａにより被覆され、シース２ａの下部には垂下部２ｅが形成されている。
【００２７】
前記垂下部２ｅの下端には接続部２ｆがあり、接続部２ｆはケーブル部３のシース３ａに接続している。接続部２ｆの左方には左ノッチ２ｃが形成されているとともに、右方には右ノッチ２ｄが形成されている。
【００２８】
接続部２ｆの左右に左ノッチ２ｃ及び右ノッチ２ｄを設けたのは、支持線部２の下部に連設されているケーブル部３を接続部２ｆから容易に切り離すことができるようにするためである。
【００２９】
ケーブル部３は、シース３ａと、シース３ａ内の第１テンションメンバ３ｂと、前記第１テンションメンバ３ｂ内に内包されているテープ形４心光ファイバ心線３ｈと、第１テンションメンバ３ｂの下方で、シース３ａ内に内包されている第２テンションメンバ３ｇからなる。
【００３０】
図６は、本発明である光屋外線の第２実施例のテープ形４心光ファイバ心線の縦断面図である。本例の光屋外線１ａのテープ形４心光ファイバ心線３ｈは、第１テンションメンバ３ｂ内に第１被覆３ｋ、３ｋ、３ｋ、３ｋにより被覆されている４本の光ファイバ心線３ｊ、３ｊ、３ｊ、３ｊが内包されている。
【００３１】
４本の被覆されている４本の光ファイバ心線３ｊ、３ｊ、３ｊ、３ｊ　は、縦方向に並列に配置されているとともに、各光ファイバ心線３ｊ、３ｊ、３ｊ、３ｊはそれぞれ密着している。
【００３２】
図７は、本発明である光屋外線の第３実施例の縦断面図である。図７に示すように、本例の光屋外線１ｂでは、第１テンションメンバ３ｂ内にある光ファイバ心線が、単心光ファイバ心線３ｍである。この単心光ファイバ心線３ｍは、１本の光ファイバ心線３ｎが、被覆材３ｏに被覆されている構造の光ファイバ心線である。
【００３３】
本発明は光屋外線１、１ａ、１ｂに関する発明であるが、本発明の画期的な構成についての考えは、光ドロップワイヤに適用することもできるものである。
【００３４】
【発明の効果】
本発明は、以上に説明したような構成であるから以下の効果が得られる。第１に、本発明である光屋外線は、折れやすい光ファイバ心線が二重に被覆され、また支持線やテンションメンバ等に補強されているために途中で折れる心配がない。
【００３５】
第２に、前述のように二重に被覆され、補強されているが、使用の際にはそれらの補強、被覆を外すことが容易な構造となっているため、光ファイバ心線を簡単かつ容易に取り出すことができるので作業効率が格段アップする。
【図面の簡単な説明】
【図１】本発明である光屋外線の第１実施例の斜視図である。
【図２】図１中に示したＡーＡ線に沿った縦断面図である。
【図３】図１中に示したＢーＢ線に沿った縦断面図である。
【図４】本発明である光屋外線の第１実施例の第２テンションメンバを切り取る状態を示した斜視図である。
【図５】本発明である光屋外線の第２実施例の縦断面図である。
【図６】本発明である光屋外線の第２実施例の縦断面図である。
【図７】本発明である光屋外線の第３実施例の縦断面図である。
【図８】従来の光屋外線の縦断面図である。
【符号の説明】
１　　　光屋外線
１ａ　　光屋外線
１ｂ　　光屋外線
２　　　支持線部
２ａ　　シース
２ｂ　　支持線
２ｃ　　左ノッチ
２ｄ　　右ノッチ
２ｅ　　垂下部
２ｆ　　接続部
３　　　ケーブル部
３ａ　　シース
３ｂ　　第１テンションメンバ（抗張力繊維）
３ｃ　　テープ形２心光ファイバ心線
３ｄ　　第２被覆
３ｅ　　第１被覆
３ｆ　　光ファイバ心線
３ｇ　　第２テンションメンバ
３ｈ　　テープ形４心光ファイバ心線
３ｉ　　第２被覆
３ｊ　　光ファイバ心線
３ｋ　　第１被覆
３ｌ　　裂け目
３ｍ　　単心光ファイバ心線
３ｎ　　光ファイバ心線
３ｏ　　被覆材
４　　　光屋外線
５　　　支持線部
５ａ　　シース
５ｂ　　第１テンションメンバ
５ｃ　　左弱化溝
５ｄ　　右弱化溝
６　　　ケーブル部
６ａ　　シース
６ｂ　　左弱化溝
６ｃ　　右弱化溝
６ｄ　　第２テンションメンバ
６ｅ　　心線
６ｆ　　第３テンションメンバ
【図１】
2004004211.tif 000003
【図２】
2004004211.tif 000004
【図３】
2004004211.tif 000005
【図４】
2004004211.tif 000006
【図５】
2004004211.tif 000007
【図６】
2004004211.tif 000008
【図７】
2004004211.tif 000009
【図８】
2004004211.tif 000010